(57)【要約】 【課題】  第１通信網を介して通信可能な通信端末装置を用いて、第２通信網を介して通信可能な第２情報端末装置を制御することができる通信端末装置および通信設備を提供する。【解決手段】  ユーザーインターフェース２９によって、表示機器１０の動作を指令する第１指令情報および、表示機器１０から有線１５を介して記憶機器１１の動作を指令する第２指令情報を入力すると、入力された第１および第２指令情報を表示機器１０に送信することによって表示機器１０の動作を指令することができ、ネットワーク７に接続されていない記憶機器１１であっても、ネットワーク７に接続されている表示機器１０に第２指令情報を送信して、表示機器１０から有線１５を介して記憶機器１１に第２指令情報を送信することによって、移動情報端末２を用いて記憶機器１１の動作を指令することができる。【選択図】      図１
2006140711.tif 000002
【特許請求の範囲】
【請求項１】
第１および第２情報端末装置を備える通信設備であって、
第１情報端末装置に、第１通信網を介して通信可能な通信手段と、
第１情報端末装置の動作を指令する第１指令情報および、第１情報端末装置から第２通信網を介して第２情報端末装置の動作を指令する第２指令情報を、入力するための入力手段と、
第１指令情報および第２指令情報の少なくともいずれか一方を、第１情報端末装置に送信するように、通信手段を制御する制御手段とを有することを特徴とする通信端末装置。
【請求項２】
請求項１記載の第１および第２情報端末装置を含む通信設備であって、
第１情報端末装置は、
通信端末装置と通信する第１通信手段と、
第２情報端末装置と通信する第２通信手段と、
第１通信手段によって受信される第１指令情報に基づいて、第１情報端末装置を統括的に制御し、かつ第１通信手段によって受信される第２指令情報を第２情報端末装置に送信するように第２通信手段を制御する第１制御手段とを有し、
第２情報端末装置は、
第１情報端末装置と通信する第３通信手段と、
第３通信手段によって受信される第２指令情報に基づいて、第２情報端末装置を統括的に制御する第２制御手段とを有することを特徴とする通信設備。
【請求項３】
第１情報端末装置は第１報知手段、第２情報端末装置は第２報知手段をそれぞれ有し、
第１報知手段は、第１情報端末装置の少なくとも動作状況に関する第１情報を報知し、第２報知手段は、第２情報端末装置の少なくとも動作状況に関する第２情報を報知する機能を有し、
第２制御手段は、第２情報を報知するように第２報知手段を制御し、かつ第２情報を第１情報端末装置に送信するように第３通信手段を制御し、
第１制御手段は、第１情報を報知するように第１報知手段を制御し、かつ第１情報および第２通信手段によって受信した第２情報を通信端末装置に送信するように第１通信手段を制御することを特徴とする請求項２に記載の通信設備。
【請求項４】
請求項３記載の通信設備との間で通信可能な通信端末装置であって、情報を報知する報知手段を有する通信端末装置において、
制御手段は、通信手段によって受信される第１および第２情報であって第１情報端末装置の少なくとも動作状況に関する前記第１情報、および第２情報端末装置の少なくとも動作状況に関する前記第２情報を報知するように報知手段を制御することを特徴とする請求項１に記載の通信端末装置。
【請求項５】
第１情報端末装置は、情報を記憶する第１記憶手段を有し、
第２情報端末装置は、情報を記憶する第２記憶手段を有し、
第１指令情報は、第１記憶手段に記憶される情報を第１報知手段に報知させることを指令する情報を含み、
第２指令情報は、第２記憶手段に記憶される情報を第２報知手段に報知させることを指令する情報を含むことを特徴とする請求項２または３に記載の通信設備。
【請求項６】
制御手段は、第１情報端末装置に、第１指令情報または第２指令情報に基づいて制御可能か否かを判定するための判定情報を送信するように通信手段を制御することを特徴とする請求項１または４に記載の通信端末装置。
【請求項７】
請求項６記載の通信端末装置と通信可能な通信設備であって、
第１制御手段は、第１通信手段によって判定情報を受信すると、第１指令情報を受信したときに第１情報端末装置を統括的に制御可能か否かを判定して、その判定結果である第１結果情報を、通信端末装置に送信するように第１通信手段を制御し、かつ第１通信手段によって受信される判定情報を第２情報端末装置に送信するように第２通信手段を制御することを特徴とする請求項２、３または５のいずれか１つに記載の通信設備。
【請求項８】
第２制御手段は、第３通信手段によって判定情報を受信すると、第２指令情報を受信したときに第２情報端末装置を統括的に制御可能か否かを判定して、その判定結果である第２結果情報を第１情報端末装置に送信するように第３通信手段を制御し、
第１制御手段は、第２通信手段によって第２結果情報を受信すると、この第２結果情報を、通信端末装置に送信するように第１通信手段を制御することを特徴とする請求項７記載の通信設備。
【請求項９】
第１情報端末装置は、第１通信手段によって送信する情報の形式を変換する変換手段を有し、
第１制御手段は、通信端末装置に情報を送信するとき、この通信端末装置が許容し得る情報の形式に変換するように変換手段を制御することを特徴とする請求項２、３、５、７または８のいずれか１つに記載の通信設備。
【請求項１０】
情報を記憶する記憶手段を有し、
制御手段は、記憶手段に記憶される第１指令情報を第１情報端末装置に送信するように通信手段を制御することを特徴とする請求項１、４または６に記載の通信端末装置。
【請求項１１】
請求項１０記載の通信端末装置と通信可能な通信設備であって、
第１制御手段は、第１通信手段によって受信される第１指令情報を記憶するように第１記憶手段を制御することを特徴とする請求項５、７、８または９記載の通信設備。
【請求項１２】
第１通信網に接続されるゲートウェイをさらに含み、
第１情報端末装置は、ゲートウェイを介して第１通信網に接続することを特徴とする請求項１１に記載の通信設備。
【発明の詳細な説明】
【技術分野】
【０００１】
本発明は、通信設備を離間した位置から動作させる通信端末装置、および通信端末装置によって動作する通信設備に関する。
【背景技術】
【０００２】
第１の従来の技術として、宅内にある機器を宅外から遠隔制御するために、宅内にある機器は、ゲートウェイを介してインターネットに接続されている。前記ゲートウェイは、インターネットを介して遠隔操作の指示が与えられると、ゲートウェイに予め設定されている情報に基づいて、指示の受付の可否を判断して、その判断結果をゲートウェイの表示部によって表示させる。このように操作の指示の受付を判断することによって、遠隔操作可能な機器はインターネットネットを介して遠隔操作することができ、その他の機器が不所望に遠隔操作されることが防がれる（たとえば特許文献１参照）。
【０００３】
第２の従来の技術として、携帯情報端末を用いて、宅内にある機器を遠隔制御するために、操作者は、携帯情報端末に予め定め記憶される操作プログラムによって、宅内ある機器の操作内容を決定し、決定した操作情報を一括して宅内に送信する遠隔制御システムがある。この遠隔制御システムでは、複数の機器の操作内容を一括して宅内に送信することによって、複数の機器を同時に遠隔操作することができ、また宅内から送信される情報によって宅内にある機器の状態を確認することができる（たとえば特許文献２参照）。
【０００４】
【特許文献１】特開２００２−４４７６５号公報
【特許文献２】特開２０００−１９７１５４号公報
【発明の開示】
【発明が解決しようとする課題】
【０００５】
第１および第２の従来の技術では、直接ネットワークに接続されている機器しか遠隔制御することができず、遠隔操作可能にするためには、ネットワークに直接接続する必要がある。したがってネットワークに接続することができない既存の機器では、遠隔操作することができないという問題がある。したがって遠隔操作するためには、ネットワークに接続機能のある機器を新たに購入する必要があるので、消費者の負担となり、遠隔操作する機器を容易に実現することが困難である。
【０００６】
第２の従来技術では、遠隔操作する場合、遠隔操作する機器の状態を取得する事は可能であるが、表示関連装置、たとえばＴＶまたはＶＴＲであれば、その機器が出力している情報、たとえば画像情報または音声情報はネットワークを介して、遠隔操作装置によって出力させることができず、遠隔操作装置によって遠隔地にある機器自体の機能を実現することはできず、不便である。
【０００７】
また遠隔操作した機器の状態を取得した場合、機器の状態を簡略化して表示させているので、たとえば画像情報を録画しているときであれば、遠隔操作装置の表示部によって録画している画像情報を表示させることができないので、遠隔操作の確実な確認をすることができないという問題がある。
【０００８】
遠隔操作装置、たとえば移動情報端末の記憶容量は比較的小さいので、不便であるが、遠隔操作装置によって遠隔地にある機器を操作して、遠隔操作装置からの大量の情報を遠隔地の機器に保存がすることができないという問題がある。
【０００９】
したがって本発明の目的は、第１通信網を介して通信可能な通信端末装置を用いて、第２通信網を介して通信可能な第２情報端末装置を制御することができる通信端末装置および通信設備を提供することである。
【００１０】
また本発明の他の目的は、通信端末装置によって、通信設備の機能を擬似的に実現することができる通信端末装置および通信設備を提供することである。
【００１１】
また本発明のさらに他の目的は、通信端末装置に記憶される情報を、通信設備に記憶させることができる通信端末装置および通信設備を提供することである。
【課題を解決するための手段】
【００１２】
本発明は、第１および第２情報端末装置を備える通信設備であって、
第１情報端末装置に、第１通信網を介して通信可能な通信手段と、
第１情報端末装置の動作を指令する第１指令情報および、第１情報端末装置から第２通信網を介して第２情報端末装置の動作を指令する第２指令情報を、入力するための入力手段と、
第１指令情報および第２指令情報の少なくともいずれか一方を、第１情報端末装置に送信するように、通信手段を制御する制御手段とを有することを特徴とする通信端末装置である。
【００１３】
本発明に従えば、通信手段は、第１通信網を介して第１情報端末装置と通信可能である。操作者は、入力手段によって、第１情報端末装置の動作を指令する第１指令情報および、第１情報端末装置から第２通信網を介して第２情報端末装置の動作を指令する第２指令情報を入力することができる。制御手段は、通信手段を制御することによって、入力手段によって入力された第１指令情報および第２指令情報の少なくともいずれか一方を第１情報端末装置に送信することができる。これによって操作者は、第１情報端末装置が通信端末装置から離間した位置、たとえば遠隔位置に配置されていても、通信端末装置を用いて第１指令情報を送信することによって、第１情報端末装置の動作を指令することができる。
【００１４】
また操作者は、第１通信網に接続されていない第２情報端末装置であっても、第１通信網に接続されている第１情報端末装置に第２指令情報を送信して、第１情報端末装置から第２通信網を介して第２情報端末装置に第２指令情報を送信することができる。これによって操作者は、第１通信網に接続されていない第２情報端末装置がであっても、通信端末装置を用いて第２指令情報を送信することによって、第２情報端末装置の動作を指令することができる。既存の技術では、通信端末装置に接続される通信網に接続されている第１情報端末装置だけしか、動作を指令することができない構成であったが、本発明では通信端末装置に接続される通信網を除く他の通信網に接続されている第２情報端末装置であっても、第１情報端末装置を介することによって、通信端末装置を用いて操作することができる。
【００１５】
また本発明は、前記第１および第２情報端末装置を含む通信設備であって、
第１情報端末装置は、
通信端末装置と通信する第１通信手段と、
第２情報端末装置と通信する第２通信手段と、
第１通信手段によって受信される第１指令情報に基づいて、第１情報端末装置を統括的に制御し、かつ第１通信手段によって受信される第２指令情報を第２情報端末装置に送信するように第２通信手段を制御する第１制御手段とを有し、
第２情報端末装置は、
第１情報端末装置と通信する第３通信手段と、
第３通信手段によって受信される第２指令情報に基づいて、第２情報端末装置を統括的に制御する第２制御手段とを有することを特徴とする通信設備である。
【００１６】
本発明に従えば、第１情報端末装置は、通信端末装置と通信する第１通信手段と、第２情報端末装置と通信する第２通信手段とを有するので、第１通信網を介して通信端末装置と通信することができ、第２通信網を介して第２情報端末装置と通信することができる。第１制御手段は、第１通信手段によって受信される第１指令情報に基づいて、第１情報端末装置を統括的に制御する。これによって操作者は、通信端末装置を用いて第１指令情報を送信することによって、第１情報端末装置を動作させることができる。
【００１７】
また第１制御手段は、第１通信手段によって受信される第２指令情報を第２情報端末装置に送信するように第２通信手段を制御する。これによって通信端末装置から送信された第２指令情報を第２情報端末装置に与えることができる。第２情報端末装置は、第１情報端末装置と通信する第３通信手段を有するので、第１情報端末装置と第２通信網を介して通信することができる。これによって第１情報端末装置によって送信された第２指令情報を受信することができる。第２情報端末装置が備える第２制御手段は、第３通信手段によって受信される第２指令情報に基づいて、第２情報端末装置を統括的に制御する。これによって操作者は、通信端末装置を用いて第２指令情報を送信することによって、第２情報端末装置を動作させることができる。
【００１８】
さらに本発明は、第１情報端末装置は第１報知手段、第２情報端末装置は第２報知手段をそれぞれ有し、
第１報知手段は、第１情報端末装置の少なくとも動作状況に関する第１情報を報知し、第２報知手段は、第２情報端末装置の少なくとも動作状況に関する第２情報を報知する機能を有し、
第２制御手段は、第２情報を報知するように第２報知手段を制御し、かつ第２情報を第１情報端末装置に送信するように第３通信手段を制御し、
第１制御手段は、第１情報を報知するように第１報知手段を制御し、かつ第１情報および第２通信手段によって受信した第２情報を通信端末装置に送信するように第１通信手段を制御することを特徴とする。
【００１９】
本発明に従えば、第２報知手段は、第２情報端末装置の少なくとも動作状況に関する第２情報を報知する機能を有し、第２制御手段は、第２情報を報知するように第２報知手段を制御する。これによって操作者は、第２報知手段によって報知される第２情報によって、第２情報端末装置の動作状況を認識することができる。また第１報知手段は、第１情報端末装置の少なくとも動作状況に関する第１情報を報知し、第１制御手段は、第１情報を報知するように第１報知手段を制御する。これによって操作者は、第１報知手段によって報知される第１情報によって、第１情報端末装置の動作状況を認識することができる。
【００２０】
また第２制御手段は、第２情報を第１情報端末装置に送信するように第３通信手段を制御する。第１制御手段は、第１情報および第２通信手段によって受信した第２情報を通信端末装置に送信するように第１通信手段を制御する。これによって操作者は、通信端末装置を用いて、第１および第２情報を確認することができる。操作者は、第１および第２報知手段によって報知される情報を、離間した位置に配置される通信端末装置を用いて確認することができる。
【００２１】
さらに本発明は、前記通信設備との間で通信可能な通信端末装置であって、情報を報知する報知手段を有する通信端末装置において、
制御手段は、通信手段によって受信される第１および第２情報であって第１情報端末装置の少なくとも動作状況に関する前記第１情報、および第２情報端末装置の少なくとも動作状況に関する前記第２情報を報知するように報知手段を制御することを特徴とする。
【００２２】
本発明に従えば、制御手段は、通信手段によって受信される第１および第２情報であって第１情報端末装置の少なくとも動作状況に関する前記第１情報、および第２情報端末装置の少なくとも動作状況に関する前記第２情報を報知するように報知手段を制御する。これによって操作者は、離間した位置にある第１および第２情報端末装置の動作状況を、通信端末装置によって確認することができる。
【００２３】
さらに本発明は、第１情報端末装置は、情報を記憶する第１記憶手段を有し、
第２情報端末装置は、情報を記憶する第２記憶手段を有し、
第１指令情報は、第１記憶手段に記憶される情報を第１報知手段に報知させることを指令する情報を含み、
第２指令情報は、第２記憶手段に記憶される情報を第２報知手段に報知させることを指令する情報を含むことを特徴とする。
【００２４】
本発明に従えば、第１指令情報は、第１記憶手段に記憶される情報を第１報知手段に報知させることを指令する情報を含み、第２指令情報は、第２記憶手段に記憶される情報を第２報知手段に報知させることを指令する情報を含む。これによって操作者は、通信端末装置によって離間した位置にある第１および第２情報端末装置の各記憶手段に記憶される情報を各報知手段に報知させることができる。
【００２５】
さらに本発明は、制御手段は、第１情報端末装置に、第１指令情報または第２指令情報に基づいて制御可能か否かを判定するための判定情報を送信するように通信手段を制御することを特徴とする。
【００２６】
本発明に従えば、制御手段は、第１情報端末装置に、第１指令情報または第２指令情報に基づいて制御可能か否かを判定するための判定情報を送信するように通信手段を制御する。これによって操作者は、離間した位置にある第１および第２情報端末装置を制御可能か否かを判断することができる。したがって操作者は、制御可能な第１および第２情報端末装置を判別して、動作を指令することができ、制御することができない第１および第２情報端末装置に不所望に第１または第２指令情報を送信することを防ぐことができる。
【００２７】
さらに本発明は、前記通信端末装置と通信可能な通信設備であって、
第１制御手段は、第１通信手段によって判定情報を受信すると、第１指令情報を受信したときに第１情報端末装置を統括的に制御可能か否かを判定して、その判定結果である第１結果情報を、通信端末装置に送信するように第１通信手段を制御し、かつ第１通信手段によって受信される判定情報を第２情報端末装置に送信するように第２通信手段を制御することを特徴とする。
【００２８】
本発明に従えば、第１制御手段は、第１通信手段によって判定情報を受信すると、第１指令情報を受信したときに第１情報端末装置を統括的に制御可能か否かを判定して、その判定結果である第１結果情報を、通信端末装置に送信するように第１通信手段を制御する。これによって操作者は、通信端末装置によって報知される第１結果情報に基づいて、第１情報端末装置を制御可能か否かを判断することができる。また第１制御手段は、第１通信手段によって受信される判定情報を第２情報端末装置に送信するように第２通信手段を制御する。これによって第１通信網に接続されていな第２情報端末装置に判定情報を送信することができる。
【００２９】
さらに本発明は、第２制御手段は、第３通信手段によって判定情報を受信すると、第２指令情報を受信したときに第２情報端末装置を統括的に制御可能か否かを判定して、その判定結果である第２結果情報を第１情報端末装置に送信するように第３通信手段を制御し、
第１制御手段は、第２通信手段によって第２結果情報を受信すると、この第２結果情報を、通信端末装置に送信するように第１通信手段を制御することを特徴とする。
【００３０】
本発明に従えば、第２制御手段は、第３通信手段によって判定情報を受信すると、第２指令情報を受信したときに第２情報端末装置を統括的に制御可能か否かを判定して、その判定結果である第２結果情報を第１情報端末装置に送信するように第３通信手段を制御する。第１制御手段は、第２通信手段によって第２結果情報を受信すると、この第２結果情報を、通信端末装置に送信するように第１通信手段を制御する。これによって第２情報端末装置は、第２結果情報を第１通信網に接続される通信端末装置に送信することができる。
【００３１】
さらに本発明は、第１情報端末装置は、第１通信手段によって送信する情報の形式を変換する変換手段を有し、
第１制御手段は、通信端末装置に情報を送信するとき、この通信端末装置が許容し得る情報の形式に変換するように変換手段を制御することを特徴とする。
【００３２】
本発明に従えば、第１情報端末装置は、第１通信手段によって送信する情報の形式を変換する変換手段を有し、通信端末装置に情報を送信するとき、この通信端末装置が許容し得る情報の形式に変換するように変換手段が第１制御手段によって制御される。第１情報端末装置の情報の形式が、通信端末装置では許容しえない情報の形式であったとしても、変換手段によって、情報の形式を通信端末装置が許容し得る情報の形式に変換することができる。
【００３３】
さらに本発明は、情報を記憶する記憶手段を有し、
制御手段は、記憶手段に記憶される第１指令情報を第１情報端末装置に送信するように通信手段を制御することを特徴とする。
【００３４】
本発明に従えば、通信手段は、記憶手段に記憶される第１指令情報を第１情報端末装置に送信するように制御手段によって制御される。これによって通信端末装置に記憶される情報を、第１情報端末装置に送信して、第１情報端末装置に記憶させることができる。したがって通信端末装置の記憶容量が小さい場合であっても、離間した位置にある第１情報端末装置に情報を送信することによって、記憶容量が不足することを防ぐことができる。
【００３５】
さらに本発明は、前記通信端末装置と通信可能な通信設備であって、
第１制御手段は、第１通信手段によって受信される第１指令情報を記憶するように第１記憶手段を制御することを特徴とする。
【００３６】
本発明に従えば、第１記憶手段は、第１通信手段によって受信される第１指令情報を記憶するように第１制御手段によって制御される。したがって第１記憶手段は、通信端末装置から送信された第１指令情報を記憶する。これによって通信端末装置の記憶容量が小さい場合であっても、第１記憶手段を用いて通信端末装置に記憶されていた第１指令情報を記憶することができる。したがって通信端末装置に記憶される情報を消去することなく、容易に第１記憶手段に前記情報を記憶させることができ、利便性を向上することができる。
【００３７】
さらに本発明は、第１通信網に接続されるゲートウェイをさらに含み、
第１情報端末装置は、ゲートウェイを介して第１通信網に接続することを特徴とする。
【００３８】
本発明に従えば、第１情報端末装置は、ゲートウェイを介して第１通信網に接続する。これによってゲートウェイに複数の情報端末装置を接続して、複数の情報端末装置はゲートウェイによって第１通信網を用いて通信することができる。このようなゲートウェイを介して接続される第１情報端末装置であっても、本発明を好適に実現することができる。
【発明の効果】
【００３９】
本発明によれば、第２情報端末装置を第１通信網に接続する構成に変更する必要がないので、既存の第１通信網に接続することができない情報端末装置であっても、本発明によって通信端末装置を用いて操作することができる。第２情報端末装置の構成を変更する必要がないので、本発明は、第２情報端末装置の製造コストは必要なく、かつ大形化させることなく実現させることができる。これによって利便性が向上する。
【００４０】
また本発明によれば、第１通信網に第１情報端末装置を介して接続されている第２情報端末装置であっても、第２指令情報を受信することができ、通信端末装置によって遠隔操作をすることができる。第２情報端末装置の構成を変更する必要がないので、本発明は、第２情報端末装置の製造コストは必要なく、かつ大形化させることなく実現させることができる。これによって利便性が向上する。
【００４１】
さらに本発明によれば、操作者は、通信端末装置によって報知される第１および第２情報を確認することによって、第１および第２情報端末装置を直接操作しているかのように動作状況を確認することができる。これによって操作者は、離間した位置にある第１および第２情報端末装置の動作を指令したときに、指令に基づいて動作しているか否かを直感的に把握することができ、利便性が向上する。
【００４２】
さらに本発明によれば、通信端末装置では処理できないような高度な処理を、第１および第２情報端末装置によって処理させて、その動作状況を報知手段によって報知させることによって、第１および第２情報端末装置の機能を通信端末装置によって擬似的に実現することができる。したがって通信端末装置に新たな機能を追加することなく、第１および第２情報端末装置の機能を実現することができる。
【００４３】
さらに本発明によれば、操作者は、通信端末装置によって離間した位置にある第１および第２情報端末装置の各記憶手段に記憶される情報を各報知手段に報知させることができる。
【００４４】
さらに本発明によれば、操作者は、制御可能な第１および第２情報端末装置を判別して、動作を指令することができ、制御することができない第１および第２情報端末装置に不所望に第１または第２指令情報を送信することを防ぐことができる。
【００４５】
さらに本発明によれば、操作者は、通信端末装置によって報知される第１結果情報に基づいて、第１情報端末装置を制御可能か否かを判断することができる。また第１通信網に接続されていな第２情報端末装置に判定情報を送信することができる。
【００４６】
さらに本発明によれば、操作者は、通信端末装置によって報知される第２結果情報に基づいて、第２情報端末装置を制御可能か否かを判断することができる。
【００４７】
さらに本発明によれば、通信端末装置は、第１情報端末装置から送信される情報の形式が許容されない情報の形式であること防ぐことができる。したがって通信端末装置は、第１情報端末装置から送信される情報を確実に許容することができる。操作者は、移動情報端末に対応していない情報を扱うときにも、情報の形式を考慮せずに容易に扱うことができる。
【００４８】
さらに本発明によれば、通信端末装置の記憶容量が小さい場合であっても、離間した位置にある第１情報端末装置に情報を送信することによって、記憶容量が不足することを防ぐことができる。
【００４９】
さらに本発明によれば、通信端末装置に記憶される情報を消去することなく、容易に第１記憶手段に前記情報を記憶させることができ、利便性を向上することができる
さらに本発明によれば、ゲートウェイに複数の情報端末装置を接続して、複数の情報端末装置はゲートウェイによって第１通信網を用いて通信することができる。このようなゲートウェイを介して接続される第１情報端末装置であっても、本発明を好適に実現することができる。
【発明を実施するための最良の形態】
【００５０】
図１は、本発明の実施の一形態の遠隔操作システム１の電気的構成を簡略化して示すブロック図である。遠隔操作システム１は、移動情報端末２および通信設備３を含んで構成される。通信設備３は、ゲートウェイ４および複数の家電機器５を含んで構成される。遠隔操作システム１は、操作者が宅外で移動情報端末２を操作することによって、離間した位置、たとえば遠隔地である宅内に配置される複数の家電機器５を操作することができるシステムである。
【００５１】
移動情報端末２は、通信端末装置であって、たとえば携帯電話装置または携帯情報端末（Personal Digital Assistant：略称ＰＤＡ）によって実現され、無線通信可能に構成される。移動情報端末２は、基地局６および第１通信網であるネットワーク７を介して、宅内に配置されるゲートウェイ４と通信可能に構成される。
【００５２】
ゲートウェイ４は、複数、本実施の形態では３つの家電機器５、パーソナルコンピュータ（Personal Computer：略称ＰＣ）８、音声出力機器９および表示機器１０にそれぞれ接続される。
【００５３】
表示機器１０は、第１情報端末装置であって、ネットワーク７に接続できない家電機器５である記憶機器１１に第２通信網である有線１５で接続される。
【００５４】
記憶機器１１は、第２情報端末装置であって、表示機器１０と有線１５によって接続される。記憶機器１１は、たとえばビデオデッキ（video tape recorder：略称ＶＴＲ）またはデジタル多機能ディスク（Digital Versatile Disk：略称ＤＶＤ）部１１などのデータを記憶することができる機器によって実現される。
【００５５】
図２は、ゲートウェイ４の電気的構成を示すブロック図である。ゲートウェイ４は、第１ゲートウェイアンテナ１２、第２ゲートウェイアンテナ１３、ゲートウェイ制御部１４および変換部１６を含んで構成される。ゲートウェイ４は、ネットワーク７に接続される。第１ゲートウェイアンテナ１２は、ネットワーク７からの情報を受信して、受信した情報をゲートウェイ制御部１４に与える。また第１ゲートウェイアンテナ１２は、ゲートウェイ制御部１４から与えられる情報をネットワーク７に送信する。第１ゲートウェイアンテナ１２は、遠隔制御シグナルを受信すると、受信した遠隔制御シグナルをゲートウェイ制御部１４に与える。遠隔制御シグナルは、移動情報端末２から与えられる制御シグナルであって、移動情報端末２を用いて家電機器５の動作を指令する情報である。
【００５６】
第２ゲートウェイアンテナ１３は、ゲートウェイ制御部１４から与えられる情報を、ゲートウェイ制御部１４からの指示に基づいて送信対象となる家電機器５に送信する。また第２ゲートウェイアンテナ１３は、各家電機器５から送信される処理結果データを受信する。第２ゲートウェイアンテナ１３は、受信した処理結果データをゲートウェイ制御部１４に与える。処理結果データは、与えられる遠隔制御シグナルに基づいて動作した結果に基づく情報である。
【００５７】
変換部１６は、変換手段であって、第１ゲートウェイアンテナ１２から送信する情報の形式を変換する。変換部１６は、移動情報端末２の対応データフォーマットに変換し、変換した処理結果データをゲートウェイ制御部１４に与える。
【００５８】
ゲートウェイ制御部１４は、第１ゲートウェイアンテナ１２から与えられた遠隔制御シグナルを、遠隔制御シグナルに基づいて、遠隔制御の対象となる家電機器５に送信するように、第２ゲートウェイアンテナ１３に与える。ゲートウェイ制御部１４は、移動情報端末２の対応データフォーマットであるかを否か判断し、移動情報端末２の対応していないデータフォーマットであれば、変換部１６に処理結果データを与える。
【００５９】
ゲートウェイ制御部１４は、処理結果データを第１ゲートウェイアンテナ１２に与え、第１ゲートウェイアンテナ１２は、処理結果データをネットワーク７に送信する。ゲートウェイ制御部１４は、移動情報端末２に情報を送信するとき、この移動情報端末２が許容し得る情報の形式に変換するように変換部１６を制御する。ゲートウェイ制御部１４は、たとえばマイクロコンピュータなどの処理回路によって実現される。
【００６０】
図３は、表示機器１０および記憶機器１１の電気的構成を示すブロック図である。表示機器１０は、表示アンテナ１７、表示接続部１８、機器表示部１９、表示記憶部２０および表示制御部２１を含んで構成される。表示機器１０は、ゲートウェイ４を介してネットワーク７に接続する。表示アンテナ１７は、第１通信手段であって、移動情報端末２とゲートウェイ４を介して通信する。表示アンテナ１７は、ゲートウェイ４からの情報を受信し、受信した情報を表示制御部２１に与える。また表示アンテナ１７は、表示制御部２１から与えられる情報をゲートウェイ４に送信する。表示アンテナ１７は、ゲートウェイ４からの遠隔制御シグナルを受信する。
【００６１】
表示接続部１８は、第２通信手段であって、記憶機器１１と通信する。表示接続部１８は、表示制御部２１から与えられる情報を有線１５を介して記憶機器１１に与える。表示接続部１８は、記憶機器１１から与えられる情報を表示制御部２１に与える。表示接続部１８は、表示制御部２１から遠隔制御シグナルが与えられると、遠隔制御シグナルを記憶機器１１に送信する。
【００６２】
機器表示部１９は、第１報知手段であって、表示機器１０の少なくとも動作状況に関する第１情報を報知する機能を有する。機器表示部１９は、表示記憶部２０に記憶される情報を表示する。動作状況に関する情報は、たとえば現在時刻、チャンネルなどである。機器表示部１９は、たとえばカラー表示可能な液晶ディスプレイ（Liquid Crystal Display：略称ＬＣＤ）によって実現される。表示記憶部２０は、第１記憶手段であって、情報を記憶する。表示記憶部２０は、たとえばフラッシュメモリなどの半導体装置から成り、表示制御部２１の制御に用いられるプログラムなどを記憶する。
【００６３】
表示制御部２１は、第１制御手段であって、表示記憶部２０に記憶されるプログラムとあいまって、与えられる制御シグナルなどに基づいて、表示機器１０全体の動作を決定する。動作が決定すると、表示制御部２１は、各部に対し制御シグナルを与える。
【００６４】
表示制御部２１は、表示アンテナ１７によって受信される第１指令情報に基づいて、表示機器１０を統括的に制御し、かつ表示アンテナ１７によって受信される第２指令情報を記憶機器１１に送信するように表示接続部１８を制御する。第１指令情報は、表示機器１０の動作を指令する情報であり、第２指令情報は、記憶機器１１の動作を指令する情報である。
【００６５】
表示制御部２１は、受信した遠隔制御シグナルが第１指令情報である場合、各部を統括的に制御する。表示制御部２１は、遠隔制御シグナルに基づいて操作された処理結果データを、表示アンテナ１７に与える。表示制御部２１は、遠隔制御シグナルが第２指令情報である場合、表示接続部１８に遠隔制御シグナルを与える。
【００６６】
表示制御部２１は、第１情報を報知するように機器表示部１９を制御し、かつ第１情報および表示接続部１８によって受信した第２情報を移動情報端末２に送信するように表示アンテナ１７を制御する。
【００６７】
表示制御部２１は、表示アンテナ１７によって判定情報を受信すると、第１指令情報を受信したときに表示機器１０を統括的に制御可能か否かを判定して、その判定結果である第１結果情報を、移動情報端末２に送信するように表示アンテナ１７を制御し、かつ表示アンテナ１７によって受信される判定情報を記憶機器１１に送信するように表示接続部１８を制御する。判定情報は、第１指令情報または第２指令情報に基づいて制御可能か否かを判定するための情報である。
【００６８】
また表示制御部２１は、表示接続部１８によって第２結果情報を受信すると、この第２結果情報を、移動情報端末２に送信するように表示アンテナ１７を制御する。また表示制御部２１は、表示アンテナ１７によって受信される第１指令情報を記録するように表示記憶部２０を制御する。表示制御部２１は、たとえばマイクロコンピュータなどの処理回路によって実現される。
【００６９】
記憶機器１１は、記憶接続部２２、記憶制御部２３、記憶表示部２５および機器記憶部２６を含んで構成される。記憶接続部２２は、第３通信手段であって、表示機器１０と通信する。記憶接続部２２は、表示機器１０からの情報を受信し、受信した情報を記憶制御部２３に与える。また記憶接続部２２は、記憶制御部２３から与えられる情報を表示機器１０に送信する。記憶接続部２２は、ゲートウェイ４からの遠隔制御シグナルを受信する。記憶接続部２２は、記憶制御部２３から与えられる処理結果データを有線１５を介して、表示機器１０に送信する。
【００７０】
記憶表示部２５は、第２報知手段であって、記憶機器１１の少なくとも動作状況に関する第２情報を報知する機能を有する。記憶表示部２５は、機器記憶部２６に記憶される情報を表示する。記憶表示部２５は、たとえばカラー表示可能なＬＣＤによって実現される。表示記憶部２０は、第２記憶手段であって、情報を記憶する。機器記憶部２６は、たとえばフラッシュメモリなどの半導体装置から成り、記憶制御部２３の制御に用いられるプログラムなどを記憶する。
【００７１】
記憶制御部２３は、第２制御手段であって、機器記憶部２６に記憶されるプログラムとあいまって、与えられる遠隔制御シグナルなどに基づいて、記憶機器１１全体の動作を決定する。動作が決定すると、記憶制御部２３は、各部に対し制御シグナルを与える。
【００７２】
記憶制御部２３は、記憶接続部２２によって受信される遠隔制御シグナルである第２指令情報に基づいて、記憶機器１１を統括的に制御する。記憶制御部２３は、遠隔制御シグナルに基づいて操作された処理結果データを、記憶接続部２２に与える。記憶制御部２３は、第２情報を報知するように記憶表示部２５を制御し、かつ第２情報を表示機器１０に送信するように記憶接続部２２を制御する。
【００７３】
記憶制御部２３は、記憶接続部２２によって判定情報を受信すると、第２指令情報を受信したときに記憶機器１１を統括的に制御可能か否かを判定して、その判定結果である第２結果情報を表示機器１０に送信するように記憶接続部２２を制御する。記憶制御部２３は、たとえばマイクロコンピュータなどの処理回路によって実現される。
【００７４】
図４は、移動情報端末２の電気的構成を示すブロック図である。移動情報端末２は、移動アンテナ２７、移動表示部２８、ユーザーインターフェース２９、移動記憶部３０、移動制御部３１および移動ＣＰＵ３２を含んで構成される。移動アンテナ２７は、通信手段であって、ネットワーク７およびゲートウェイ４を介して、家電機器５と通信する。移動アンテナ２７は、ゲートウェイ４からの情報を、ネットワーク７および基地局６を介して受信し、受信した情報を移動制御部３１に与える。また移動アンテナ２７は、移動制御部３１から与えられる情報をゲートウェイ４に送信する。移動アンテナ２７は、移動制御部３１からの遠隔制御シグナルを送信する。また移動アンテナ２７は、ゲートウェイ４からの処理結果データを受信し、受信した処理結果データを移動制御部３１に与える。
【００７５】
ユーザーインターフェース２９は、入力手段であって、操作者に操作され、たとえば移動情報端末２の操作の指示、または遠隔地にある家電機器５の動作の指示が入力される。ユーザーインターフェース２９は、操作者に操作されることによって家電機器５の動作を指令する第１指令情報および、家電機器５から有線１５を介して記憶機器１１の動作を指令する第２指令情報が入力される。ユーザーインターフェース２９は、入力された指令を示す指令情報を移動制御部３１に与える。ユーザーインターフェース２９は、たとえば押下スイッチおよび移動表示部２８が連携することによって実現される。
【００７６】
移動表示部２８は、報知手段であって、情報を報知する。移動表示部２８は、移動制御部３１から与えられる情報を画像情報に変換して表示する。移動表示部２８は、移動制御部３１から与えられる処理結果データを画像情報に変換して表示する。移動表示部２８は、たとえばカラー表示可能なＬＣＤによって実現される。移動記憶部３０は、記憶手段であって、情報を記憶する。移動記憶部３０は、たとえばフラッシュメモリなどの半導体装置から成り、記憶制御部２３の制御に用いられるプログラムなどを記憶する。
【００７７】
移動制御部３１は、制御手段であって、与えられた指令情報を移動ＣＰＵ３２に与える。また移動制御部３１は、移動アンテナ２７に送信すべき情報を与える。移動制御部３１は、遠隔制御シグナルを移動アンテナ２７に与える。移動制御部３１は、第１指令情報および第２指令情報の少なくともいずれか一方を、ゲートウェイ４に送信するように、移動アンテナ２７を制御する。移動制御部３１は、移動アンテナ２７から処理結果データが与えれると、与えられた処理結果データを表示するように移動表示部２８を制御する。
【００７８】
移動制御部３１は、移動アンテナ２７によって受信される第１および第２情報であって表示機器１０の少なくとも動作状況に関する前記第１情報、および記憶機器１１の少なくとも動作状況に関する前記第２情報を報知するように移動表示部２８を制御する。移動制御部３１は、表示機器１０に、第１指令情報または第２指令情報に基づいて制御可能か否かを判定するための判定情報を送信するように移動アンテナ２７を制御する。移動制御部３１は、移動記憶部３０に記憶される第１指令情報を表示機器１０に送信するように移動アンテナ２７を制御する。移動制御部３１は、たとえばマイクロコンピュータなどの処理回路によって実現される。
【００７９】
移動ＣＰＵ３２は、移動制御部３１から与えられた遠隔地の家電機器５の動作を指令する指令情報に基づいて、遠隔制御シグナルに変換して、移動制御部３１に与える。
【００８０】
図５は、遠隔操作システム１全体の動作を説明するためのフローチャートである。前述したように遠隔操作システム１は、ネットワーク７に接続可能な移動情報端末２、ネットワーク７に接続可能な表示機器１０であるＴＶ１０、ネットワーク７と接続不可能であり、ＴＶ１０と有線１５で接続されている記憶機器１１であるＤＶＤ部１１、およびＴＶ１０またはＤＶＤ部１１の遠隔操作シグナルを検知するゲートウェイ４を含む。ステップａ０にて、操作者が移動情報端末２を操作して、家電機器５を遠隔操作する場合、ステップａ１に移る。
【００８１】
ステップａ１では、移動情報端末２の移動制御部３１は、移動表示部２８を制御して、遠隔操作の対象となる家電機器５の制御画面を表示させる。ここで操作者によってユーザーインターフェース２９が操作され、たとえばＤＶＤ部１１の動作を指令する指令情報が入力される。指令情報は、たとえば予約録画を指示する情報である。移動制御部３１は、ユーザーインターフェース２９からの指令情報に基づく遠隔制御シグナルを、送信するように移動アンテナ２７を制御し、ステップａ２に移る。
【００８２】
ステップａ２では、移動情報端末２からの遠隔操作シグナルをネットワーク７が受信し、受信した遠隔制御シグナルは遠隔操作対象のＤＶＤ部１１を制御可能なゲートウェイ４に送信する。ゲートウェイ４は、ネットワーク７から送信された遠隔操作シグナルを受信し、ステップａ３に移る。
【００８３】
ステップａ３では、ゲートウェイ４のゲートウェイ制御部１４は、受信した遠隔制御シグナルに基づいてＤＶＤ部１１を制御可能か否かを判定するための判定情報である応答要求シグナルを、ＤＶＤ部１１に遠隔制御シグナルを送信可能なＴＶ１０に送信するように、第２ゲートウェイアンテナ１３を制御する。表示アンテナ１７を介して応答要求シグナルが与えられたＴＶ１０の表示制御部２１は、与えられた応答要求シグナルをＤＶＤ部１１に送信するように、表示接続部１８を制御する。
【００８４】
応答要求シグナルを与えられたＤＶＤ部１１の記憶制御部２３は、ＴＶ１０を介して、ゲートウェイ４に第２結果情報である応答要求シグナルのレスポンスを送信するように記憶接続部２２を制御する。ゲートウェイ制御部１４は、応答要求シグナルに対し、ＤＶＤ部１１からゲートウェイ４にレスポンスを受信すれば、ステップａ４に移る。ゲートウェイ制御部１４は、通信障害などによって、たとえば予め定める期間内に応答要求シグナルに対するレスポンスを受信しない場合、ステップａ１１に移る。
【００８５】
ステップａ４では、ゲートウェイ制御部１４は、ＤＶＤ部１１に遠隔制御シグナルを送信可能なＴＶ１０に、遠隔制御シグナルを送信するように第２ゲートウェイアンテナ１３を制御し、ステップａ４に移る。
【００８６】
ステップａ５では、遠隔制御シグナルが与えられたＴＶ１０の表示制御部２１は、ＤＶＤ部１１の遠隔制御シグナルであるか否かを判定し、ＤＶＤ部１１を制御するシグナルである場合、ステップａ６に移り、ＴＶ１０を制御するシグナルである場合、ステップａ７に移る。
【００８７】
ステップａ６では、ＴＶ１０の表示制御部２１は、ＤＶＤ部１１に遠隔制御シグナルを送信するように表示接続部１８を制御する。ステップａ７では、ＤＶＤ部１１の記憶制御部２３は、遠隔制御シグナルが与えられると、遠隔制御シグナルに基づいて、各部を制御して、予約番組録画して、ステップａ８に移る。
【００８８】
ステップａ８では、ＤＶＤ部１１の記憶表示部２５は、ＤＶＤ部１１で録画中の画像データをＴＶ１０に処理結果データとして送信するように、記憶接続部２２を制御する。ＴＶ１０の表示制御部２１は、処理結果データを受信すると、受信した処理結果データを、ゲートウェイ４に送信するように表示アンテナ１７を制御して、ステップａ９に移る。
【００８９】
ステップａ９では、ゲートウェイ制御部１４は、処理結果データを受信すると、処理結果データである録画中画像データのフォーマットが移動情報端末２の対応データかを判断する。画像データが移動情報端末２対応のデータの場合、ステップａ１１に移り、画像データが移動情報端末２の対応していないフォーマットの場合、ステップａ１０に移る。
ステップａ１０では、変換部１６は、処理結果データの画像データを移動情報端末２で再生可能なデータのフォーマットに変換し、ステップａ１１に移る。ステップａ１１では、ゲートウェイ制御部１４は、処理結果データを移動情報端末２に送信するように第１ゲートウェイアンテナ１２を制御して、ステップａ１２に移る。
【００９０】
ステップａ１２では、ネットワーク７が処理結果データを受信し、受信した処理結果データをネットワーク７から移動情報端末２に送信して、ステップａ１３に移る。ステップａ１３では、移動情報端末２の移動制御部３１は、処理結果データを移動アンテナ２７から与えられると、処理結果データであるのＤＶＤ部１１の録画中の画像データを移動表示部２８で表示するように制御して、ステップａ１４に移る。これによって操作者は、遠隔操作した動作結果を確認する。ステップａ１４にて、ステップａ０からの一連の処理を終了する。
【００９１】
図５に示すフローチャートで説明したように、移動情報端末２は、ゲートウェイ４に通信接続し、移動情報端末２から制御対象機器である家電機器５の遠隔制御シグナルをゲートウェイ４に送信する。ゲートウェイ４は、遠隔制御シグナルを受信し、家電機器５にゲートウェイ４から遠隔制御シグナルを送信し、遠隔制御する。
【００９２】
直接ネットワーク７と接続されていないＤＶＤ部１１を遠隔制御する場合、ゲートウェイ４が受信した遠隔制御シグナルをゲートウェイ４からＤＶＤ部１１と有線１５で接続されているＴＶ１０に送信する。ＴＶ１０は、ＤＶＤ部１１に有線１５によって、遠隔制御シグナルを送信し、ＤＶＤ部１１が遠隔制御シグナルに基づいて動作する。
【００９３】
遠隔操作された各家電機器５は、処理結果データをゲートウェイ４、ネットワーク７、および基地局６を経由して、移動情報端末２に送信する。操作結果は、移動情報端末２の移動表示部２８に表示される。
【００９４】
遠隔制御を行われた各家電機器５からの処理結果データが移動情報端末２で表示、音声出力等の不可能な情報の形式、換言すると出力できないデータフォーマットであるとき、ゲートウェイ４の変換部１６によって、移動情報端末２で出力可能なデータフォーマットに変換する。
【００９５】
操作者は、移動情報端末２を用いて、記憶機器１１の記憶表示部２５に表示される情報を移動情報端末２によって取得する場合、ユーザーインターフェース２９を用いて、記憶表示部２５に表示される情報を移動表示部２８に表示させる指令する指令情報を移動制御部３１に与える。移動制御部３１は、指令情報に基づく遠隔制御シグナルを送信するように移動アンテナ２７を制御する。ゲートウェイ４のゲートウェイ制御部１４は、遠隔制御シグナルを与えられると、与えられた遠隔制御シグナルを表示機器１０を介して、記憶機器１１に与える。記憶機器１１の記憶制御部２３は、与えられる遠隔制御シグナルに基づいて、記憶表示部２５に表示されている第２情報を表示機器１０に送信するように記憶接続部２２を制御する。
【００９６】
表示機器１０の表示制御部２１は、与えられる第２情報をゲートウェイ４を介して、移動情報端末２に送信するように表示アンテナ１７を制御する。移動情報端末２の移動制御部３１は、移動アンテナ２７を介して第２情報が与えられると、与えられる第２情報を表示するように移動表示部２８を制御する。このように各部が動作することによって、移動情報端末２の移動表示部２８には、記憶機器１１の記憶表示部２５に表示される情報が表示される。
【００９７】
操作者は、移動情報端末２を用いて、表示機器１０の機器表示部１９に表示される情報を移動情報端末２によって取得する場合、記憶機器１１の記憶表示部２６に表示される情報を取得する場合と同様に、ユーザーインターフェース２９を用いて、機器表示部１９に表示される情報を移動表示部２８に表示させる指令する指令情報を移動制御部３１に与える。移動制御部３１は、指令情報に基づく遠隔制御シグナルを送信するように移動アンテナ２７を制御する。ゲートウェイ４のゲートウェイ制御部１４は、遠隔制御シグナルを与えられると、与えられる遠隔制御シグナルを表示機器１０に与える。表示機器１０の表示制御部２１は、与えられる遠隔制御シグナルに基づいて、機器表示部１９に表示されている第１情報をゲートウェイ４を介して、移動情報端末２に送信するように表示アンテナ１７を制御する。移動情報端末２の移動制御部３１は、移動アンテナ２７を介して第１情報が与えられると、与えられる第１情報を表示するように移動表示部２８を制御する。このように各部が動作することによって、移動情報端末２の移動表示部２８には、表示機器１０の機器表示部１９に表示される情報が表示される。
【００９８】
操作者は、移動情報端末２を用いて、移動情報端末２に記憶される情報を表示機器１０の表示記憶部２０または記憶機器１１の機器記憶部２６に記憶させる場合、ユーザーインターフェース２９を用いて、記憶させる情報を移動記憶部３０から選択して、選択した情報を表示記憶部２０に記憶させるように指令する指令情報を移動制御部３１に与える。移動制御部３１は、指令情報に基づく遠隔制御シグナルを送信するように移動アンテナ２７を制御する。この場合、遠隔制御シグナルには、表示記憶部２０に記憶させる情報を含む。
【００９９】
ゲートウェイ４のゲートウェイ制御部１４は、遠隔制御シグナルを与えられると、与えられる遠隔制御シグナルを表示機器１０に与える。表示機器１０の表示制御部２１は、与えられる遠隔制御シグナルに基づいて、表示記憶部２０に遠隔制御シグナルに含まれる記憶情報を記憶するように、制御する。このように各部が動作することによって、表示記憶部２０には、移動情報端末２に記憶されていた情報を記憶させる。したがって移動情報端末２の入力データを遠隔地にある機器に保存する場合、入力データを通信接続されているゲートウェイ４に送信し、ゲートウェイ４から遠隔制御対象の機器のハードディスクに保存する。
【０１００】
操作者は、移動情報端末２を用いて、記憶機器１１を制御可能か否かを判断する場合、ユーザーインターフェース２９を用いて、記憶機器１１が制御可能を判定する指令情報を移動制御部３１に与える。移動制御部３１は、指令情報に基づく遠隔制御シグナルを送信するように移動アンテナ２７を制御する。ゲートウェイ４のゲートウェイ制御部１４は、遠隔制御シグナルを与えられると、与えられる遠隔制御シグナルを表示機器１０を介して、記憶機器１１に与える。記憶機器１１の記憶制御部２３は、与えられる遠隔制御シグナルに基づいて、記憶機器１１を統括的に制御可能か否かを判定して、その判定結果である第２結果情報を表示機器１０に送信するように記憶接続部２２を制御する。
【０１０１】
表示機器１０の表示制御部２１は、与えられる第２結果情報をゲートウェイ４を介して、移動情報端末２に送信するように表示アンテナ１７を制御する。移動情報端末２の移動制御部３１は、移動アンテナ２７を介して第２結果情報が与えられると、与えられる第２結果情報を表示するように移動表示部２８を制御する。このように各部が動作することによって、移動情報端末２の移動表示部２８には、記憶機器１１を制御可能か否かを示す情報が表示される。表示機器１０を制御可能か否かを判定するときも同様である。
【０１０２】
以上説明したように本実施の形態の通信設備３では、移動アンテナ２７は、ネットワーク７を介して表示機器１０と通信可能である。操作者は、ユーザーインターフェース２９によって、表示機器１０の動作を指令する第１指令情報および、表示機器１０から有線１５を介して記憶機器１１の動作を指令する第２指令情報を入力することができる。移動制御部３１は、移動アンテナ２７を制御することによって、ユーザーインターフェース２９によって入力された第１指令情報および第２指令情報の少なくともいずれか一方を表示機器１０に送信することができる。これによって操作者は、表示機器１０が移動情報端末２から離間した位置、たとえば遠隔位置に配置されていても、移動情報端末２を用いて第１指令情報を送信することによって、表示機器１０の動作を指令することができる。
【０１０３】
また操作者は、ネットワーク７に接続されていない記憶機器１１であっても、ネットワーク７に接続されている表示機器１０に第２指令情報を送信して、表示機器１０から有線１５を介して記憶機器１１に第２指令情報を送信することができる。これによって操作者は、ネットワーク７に接続されていない記憶機器１１がであっても、移動情報端末２を用いて第２指令情報を送信することによって、記憶機器１１の動作を指令することができる。既存の技術では、移動情報端末２に接続される通信網に接続されている表示機器１０だけしか、動作を指令することができない構成であったが、本発明では移動情報端末２に接続される通信網を除く他の通信網に接続されている記憶機器１１であっても、表示機器１０を介することによって、移動情報端末２を用いて操作することができる。
【０１０４】
したがって記憶機器１１をネットワーク７に接続する構成に変更する必要がないので、既存のネットワーク７に接続することができない情報端末装置であっても、本発明によって移動情報端末２を用いて操作することができる。記憶機器１１の構成を変更する必要がないので、本発明は、記憶機器１１の製造コストは必要なく、かつ大形化させることなく実現させることができる。これによって利便性が向上する。
【０１０５】
また本実施の形態では、表示機器１０は、移動情報端末２と通信する表示アンテナ１７と、記憶機器１１と通信する表示接続部１８とを有するので、ネットワーク７を介して移動情報端末２と通信することができ、有線１５を介して記憶機器１１と通信することができる。表示制御部２１は、表示アンテナ１７によって受信される第１指令情報に基づいて、表示機器１０を統括的に制御する。これによって操作者は、移動情報端末２を用いて第１指令情報を送信することによって、表示機器１０を動作させることができる。
【０１０６】
また表示制御部２１は、表示アンテナ１７によって受信される第２指令情報を記憶機器１１に送信するように表示接続部１８を制御する。これによって移動情報端末２から送信された第２指令情報を記憶機器１１に与えることができる。記憶機器１１は、表示機器１０と通信する記憶接続部２２を有するので、表示機器１０と有線１５を介して通信することができる。これによって表示機器１０によって送信された第２指令情報を受信することができる。記憶機器１１が備える記憶制御部２３は、記憶接続部２２によって受信される第２指令情報に基づいて、記憶機器１１を統括的に制御する。これによって操作者は、移動情報端末２を用いて第２指令情報を送信することによって、記憶機器１１を動作させることができる。したがってネットワーク７に表示機器１０を介して接続されている記憶機器１１であっても、第２指令情報を受信することができ、移動情報端末２によって遠隔操作をすることができる。記憶機器１１の構成を変更する必要がないので、本発明は、記憶機器１１の製造コストは必要なく、かつ大形化させることなく実現させることができる。これによって利便性が向上する。
【０１０７】
また本実施の形態では、記憶表示部２５は、記憶機器１１の少なくとも動作状況に関する第２情報を報知する機能を有し、記憶制御部２３は、第２情報を報知するように記憶表示部２５を制御する。これによって操作者は、記憶表示部２５によって報知される第２情報によって、記憶機器１１の動作状況を認識することができる。また機器表示部１９は、表示機器１０の少なくとも動作状況に関する第１情報を報知し、表示制御部２１は、第１情報を報知するように機器表示部１９を制御する。これによって操作者は、機器表示部１９によって報知される第１情報によって、表示機器１０の動作状況を認識することができる。
【０１０８】
また記憶制御部２３は、第２情報を表示機器１０に送信するように記憶接続部２２を制御する。表示制御部２１は、第１情報および表示接続部１８によって受信した第２情報を移動情報端末２に送信するように表示アンテナ１７を制御する。これによって操作者は、移動情報端末２を用いて、第１および第２情報を確認することができる。操作者は、機器表示部１９および記憶表示部２５によって報知される情報を、離間した位置に配置される移動情報端末２を用いて確認することができる。したがって操作者は、移動情報端末２によって報知される第１および第２情報を確認することによって、表示機器１０および記憶機器１１を直接操作しているかのように動作状況を確認することができる。これによって操作者は、離間した位置にある第１および記憶機器１１の動作を指令したときに、指令に基づいて動作しているか否かを直感的に把握することができ、利便性が向上する。
【０１０９】
これによって第１情報端末装置であるＰＣ８の操作結果は、ファイルの実行、保存または編集はＰＣ８で処理して、ＰＣ８に表示される結果の画像情報を移動情報端末２に送信して、ＰＣ８に表示される結果を移動情報端末２で実現することができる。
【０１１０】
また本実施の形態では、移動制御部３１は、移動アンテナ２７によって受信される第１および第２情報であって表示機器１０の少なくとも動作状況に関する前記第１情報、および記憶機器１１の少なくとも動作状況に関する前記第２情報を報知するように移動表示部２８を制御する。これによって操作者は、離間した位置にある表示機器１０および記憶機器１１の動作状況を、移動情報端末２によって確認することができる。また移動情報端末２では処理できないような高度な処理を、表示機器１０および記憶機器１１によって処理させて、その動作状況を移動表示部２８によって報知させることによって、表示機器１０および記憶機器１１の機能、たとえば記憶機器１１に記憶される情報の表示などを移動情報端末２によって擬似的に実現することができる。したがって移動情報端末２に新たな機能を追加することなく、表示機器１０および記憶機器１１の機能を実現することができる。したがって遠隔操作される機器の表示内容をそのまま移動情報端末２で表示できるので、ＴＶ、ＤＶＤ、ＶＴＲなどの映像データを扱う機器の場合、録画している映像を移動情報端末２で出力するために、確認するのが容易である。
【０１１１】
また本実施の形態では、第１指令情報は、表示記憶部２０に記憶される情報を機器表示部１９に報知させることを指令する情報を含み、第２指令情報は、機器記憶部２６に記憶される情報を記憶表示部２５に報知させることを指令する情報を含む。これによって操作者は、移動情報端末２によって離間した位置にある表示機器１０および記憶機器１１の各移動記憶部３０に記憶される情報を各表示部に報知させることができる。
【０１１２】
また本実施の形態では、移動制御部３１は、表示機器１０に、第１指令情報または第２指令情報に基づいて制御可能か否かを判定するための判定情報を送信するように移動アンテナ２７を制御する。これによって操作者は、離間した位置にある表示機器１０および記憶機器１１を制御可能か否かを判断することができる。したがって操作者は、制御可能な表示機器１０および記憶機器１１を判別して、動作を指令することができ、制御することができない表示機器１０および記憶機器１１に不所望に第１または第２指令情報を送信することを防ぐことができる。
【０１１３】
また本実施の形態では、表示制御部２１は、表示アンテナ１７によって判定情報を受信すると、第１指令情報を受信したときに表示機器１０を統括的に制御可能か否かを判定して、その判定結果である第１結果情報を、移動情報端末２に送信するように表示アンテナ１７を制御する。これによって操作者は、移動情報端末２によって報知される第１結果情報に基づいて、表示機器１０を制御可能か否かを判断することができる。また表示制御部２１は、表示アンテナ１７によって受信される判定情報を記憶機器１１に送信するように表示接続部１８を制御する。これによってネットワーク７に接続されていな記憶機器１１に判定情報を送信することができる。
【０１１４】
また本実施の形態では、記憶制御部２３は、記憶接続部２２によって判定情報を受信すると、第２指令情報を受信したときに記憶機器１１を統括的に制御可能か否かを判定して、その判定結果である第２結果情報を表示機器１０に送信するように記憶接続部２２を制御する。表示制御部２１は、表示接続部１８によって第２結果情報を受信すると、この第２結果情報を、移動情報端末２に送信するように表示アンテナ１７を制御する。これによって記憶機器１１は、第２結果情報をネットワーク７に接続される移動情報端末２に送信することができる。これによって操作者は、移動情報端末２によって報知される第２結果情報に基づいて、記憶機器１１を制御可能か否かを判断することができる。
【０１１５】
また本実施の形態では、表示機器１０は、表示アンテナ１７によって送信する情報の形式を変換する変換部１６を有し、移動情報端末２に情報を送信するとき、この移動情報端末２が許容し得る情報の形式に変換するように変換部１６が表示制御部２１によって制御される。表示機器１０の情報の形式が、移動情報端末２では許容しえない情報の形式であったとしても、変換部１６によって、情報の形式を移動情報端末２が許容し得る情報の形式に変換することができる。これによって移動情報端末２は、表示機器１０から送信される情報の形式が許容されない情報の形式であること防ぐことができる。したがって移動情報端末２は、表示機器１０から送信される情報を確実に許容することができる。
【０１１６】
また本実施の形態では、移動アンテナ２７は、移動記憶部３０に記憶される第１指令情報を表示機器１０に送信するように移動制御部３１によって制御される。これによって移動情報端末２に記憶される情報を、表示機器１０に送信して、表示機器１０に記憶させることができる。したがって移動情報端末２の記憶容量が小さい場合であっても、離間した位置にある表示機器１０に情報を送信することによって、記憶容量が不足することを防ぐことができる。
【０１１７】
また本実施の形態では、表示記憶部２０は、表示アンテナ１７によって受信される第１指令情報を記憶するように表示制御部２１によって制御される。したがって表示記憶部２０は、移動情報端末２から送信された第１指令情報を記憶する。これによって移動情報端末２の記憶容量が小さい場合であっても、表示記憶部２０を用いて移動情報端末２に記憶されていた第１指令情報を記憶することができる。したがって移動情報端末２に記憶される情報を消去することなく、容易に表示記憶部２０に前記情報を記憶させることができ、利便性を向上することができる。
【０１１８】
また本実施の形態では、表示機器１０は、ゲートウェイ４を介してネットワーク７に接続する。これによってゲートウェイ４に複数の情報端末装置を接続して、複数の情報端末装置はゲートウェイ４によってネットワーク７を用いて通信することができる。このようなゲートウェイ４を介して接続される表示機器１０であっても、本発明を好適に実現することができる。
【０１１９】
前述の実施の形態は、本発明の例示に過ぎず、本発明の範囲内において構成を変更することができる。第１および第２指令情報は、第１および第２情報端末装置の動作を指令する情報であればよく、第１および第２情報端末装置の有する機能によって適宜選択される。
【０１２０】
また前述の実施の形態では、通信端末装置は、移動情報端末２によって実現されているが、これに限ることはなく、固定電話装置であってよく、ＰＣなどであってもよい。また前述の実施の形態では、表示機器１０には記憶機器１１だけが有線１５で接続されているが、１つの機器だけでなく、複数の機器であってもよい。
【０１２１】
また前述の実施の形態では、第１通信網はネットワーク７によって実現され、第２通信網は有線１５によって実現されているが、これに限ることはない。第１通信網と第２通信網とが異なる通信網であればよく、たとえば第１通信網は、公衆回線であってよもく、第２通信網は、無線ローカルエリアネットワーク（Local Area Network：略称ＬＡＮ）、およびブルートゥース（Bluetooth）など無線通信規格によって通信する通信網で実現してもよい。
【０１２２】
また前述の実施の形態では、２つの異なる通信網を介して指令情報を送信しているが、３つ以上の異なる通信網によって実現してもよい。また前述の実施の形態では、各報知手段は、表示手段によって実現されているが、これに限ることはない。各報知手段は、たとえば音声出力手段によって実現されてもよい。
【図面の簡単な説明】
【０１２３】
【図１】本発明の実施の一形態の遠隔操作システム１の電気的構成を簡略化して示すブロック図である。
【図２】ゲートウェイ４の電気的構成を示すブロック図である。
【図３】表示機器１０および記憶機器１１の電気的構成を示すブロック図である。
【図４】移動情報端末２の電気的構成を示すブロック図である。
【図５】遠隔操作システム１全体の動作を説明するためのフローチャートである。
【符号の説明】
【０１２４】
１  遠隔操作システム
２  移動情報端末
３  通信設備
４  ゲートウェイ
７  ネットワーク
１０  表示機器
１１  記憶機器
１５  有線
１６  変換部
１７  表示アンテナ
１８  表示接続部
１９  機器表示部
２０  表示記憶部
２２  記憶接続部
２３  記憶制御部
２５  記憶表示部
２６  機器表示部
２７  移動アンテナ
２８  移動表示部
２９  ユーザーインターフェース
３０  移動記憶部
３１  移動制御部
【図１】
2006140711.tif 000003
【図２】
2006140711.tif 000004
【図３】
2006140711.tif 000005
【図４】
2006140711.tif 000006
【図５】
2006140711.tif 000007